(57)【要約】【課題】  ステアリングコラムカバーをステアリングコラムに再組付した場合においても、ステアリングコラムカバーとステアリングコラム間にガタが生じないようにする。【解決手段】  ステアリングコラムカバー１０は、車両の左右方向にて接合・分離可能で二分割可能な左方カバー１１と右方カバー１２からなる。左方カバー１１には左方の連結部１１ａと左方の保持部１１ｂが設けられ、右方カバー１２には右方の連結部１２ａと右方の保持部１２ｂが設けられている。左方カバー１１と右方カバー１２がステアリングコラム２０の外周にて接合されることにより、左方の連結部１１ａと右方の連結部１２ａが互いに係合して一体的に連結されるとともに、右方の保持部１１ｂと左方の保持部１２ｂが所定の間隔にて対峙した状態でステアリングコラム２０の下部に一体的に設けた支持部２１の係合溝２１ａ、２１ｂに弾撥的に係合して支持部２１を挟持可能に構成されている。【選択図】  図１
2010264815.tif 000002
【特許請求の範囲】
【請求項１】
車両の前後方向に沿って配置されるステアリングコラムの外周を覆うステアリングコラムカバーであって、車両の左右方向にて接合・分離可能で二分割可能な左方カバーと右方カバーからなり、前記左方カバーには左方の連結部と左方の保持部が設けられ、前記右方カバーには右方の連結部と右方の保持部が設けられていて、
前記左方カバーと前記右方カバーが前記ステアリングコラムの外周にて接合されることにより、前記左方の連結部と前記右方の連結部が互いに係合して一体的に連結されるとともに、前記右方の保持部と前記左方の保持部が所定の間隔にて対峙した状態で前記ステアリングコラムの下部または上部に一体的に設けた支持部の係合溝に弾撥的に係合して前記支持部を挟持可能に構成されていることを特徴とするステアリングコラムカバー。
【発明の詳細な説明】
【技術分野】
【０００１】
本発明は、車両の前後方向に沿って配置されるステアリングコラムの外周を覆うステアリングコラムカバーに関する。
【背景技術】
【０００２】
この種のステアリングコラムカバーの一つとして、車両の上下方向にて接合・分離可能で二分割可能な上方カバーと下方カバーからなるものがあり、例えば、下記特許文献１に記載されている。
【先行技術文献】
【特許文献】
【０００３】
【特許文献１】特許第３９２８６６８号公報
【０００４】
上記した特許文献１に記載されているステアリングコラムカバーでは、下方カバーにホルダが設けられていて、このホルダがステアリングコラムに対して下方から脱着可能に構成されている。
【発明の概要】
【０００５】
ところで、上記した特許文献１に記載されているホルダは、Ｕ字状に形成されていて、開口部が拡開する方向に弾性変形可能であり、開口部にはステアリングコラムを外周から挟持可能な一対の係合爪が設けられている。このため、下方カバーがステアリングコラムの外周から取り外されるとき、および、下方カバーがステアリングコラムの外周に取り付けられるときには、一対の係合爪がステアリングコラムの外周を滑りながら弾性変形し拡開する。したがって、下方カバーがステアリングコラムに対して脱着される際に、一対の係合爪が損傷（変形）する可能性が高くて、下方カバーをステアリングコラムに再組付した場合において、下方カバーの係合爪とステアリングコラム間にガタが生じるおそれがある。
【０００６】
本発明は、上述した課題に対処すべくなされたものであり、車両の前後方向に沿って配置されるステアリングコラムの外周を覆うステアリングコラムカバーであって、車両の左右方向にて接合・分離可能で二分割可能な左方カバーと右方カバーからなり、前記左方カバーには左方の連結部と左方の保持部が設けられ、前記右方カバーには右方の連結部と右方の保持部が設けられていて、前記左方カバーと前記右方カバーが前記ステアリングコラムの外周にて接合されることにより、前記左方の連結部と前記右方の連結部が互いに係合して一体的に連結されるとともに、前記左方の保持部と前記右方の保持部が所定の間隔にて対峙した状態で前記ステアリングコラムの下部（または上部）に一体的に設けた支持部の係合溝に弾撥的に係合して前記支持部を挟持可能に構成されていることに特徴がある。
【０００７】
本発明によるステアリングコラムカバーは、車両の左右方向にて接合・分離可能で二分割可能な左方カバーと右方カバーからなり、左方カバーに設けた左方の保持部と右方カバーに設けた右方の保持部によって、ステアリングコラムの下部（または上部）に一体的に設けた支持部を挟持可能である。このため、ステアリングコラムカバーがステアリングコラムに対して脱着される際に、左方カバーに設けた左方の保持部と右方カバーに設けた右方の保持部が損傷（変形）し難くて、ステアリングコラムカバーをステアリングコラムに再組付した場合においても、左方の保持部および右方の保持部とステアリングコラム間にガタが生じ難く、ステアリングコラムカバーはステアリングコラムに対して的確に組付けられる。
【図面の簡単な説明】
【０００８】
【図１】本発明によるステアリングコラムカバーの一実施形態を概略的に示した縦断斜視図である。
【図２】図１に示したステアリングコラムカバーの分解斜視図である。
【発明を実施するための形態】
【０００９】
以下に、本発明の一実施形態を図面に基づいて説明する。図１および図２にて概略的に示したステアリングコラムカバー１０は、車両の前後方向に沿って配置されるステアリングコラム２０の外周を覆うものであり、車両の後方部分（ステアリングコラム２０の外周近傍にまで延びる端壁を有している部分）が図示省略されていて、車両の左右方向にて接合・分離可能で二分割可能な左方カバー１１と右方カバー１２からなる。
【００１０】
左方カバー１１は、樹脂成形品であり、コラム軸方向の前方部分に設けた上下対の連結部１１ａと、コラム軸方向の中間部分に設けた保持部１１ｂと、図示省略したコラム軸方向の後方部分に設けた上下対の連結部（１１ａと同一構成のもの）を有している。各連結部１１ａは、前後一対の位置決め爪１１ａ１と、これらの位置決め爪１１ａ１間に形成された４個の係合突起１１ａ２によって構成されている。各位置決め爪１１ａ１は、右方に向けて延びていて、右方カバー１２の外周面に係合（当接）しており、右方カバー１２に対して左方カバー１１を位置決めしている。各係合突起１１ａ２は、上下方向に延びていて、右側にはスロープ（斜面）が形成されている。
【００１１】
保持部１１ｂは、コラム軸方向にて所定長さに形成されていて、上方に向けて延びており、上端（先端）に係合爪１１ｂ１を有している。この保持部１１ｂは、左右方向にて弾性変形可能であり、図１に示した組付状態（左方カバー１１と右方カバー１２がステアリングコラム２０の外周にて接合されている状態）にて、係合爪１１ｂ１がステアリングコラム２０の下部に一体的に設けた支持部２１の左方係合溝２１ａに弾撥的に係合している。なお、左方係合溝２１ａは、コラム軸方向に沿って形成されていて、支持部２１の前後両端にまで延びている。
【００１２】
右方カバー１２は、樹脂成形品であり、コラム軸方向の前方部分に設けた上下対の連結部１２ａと、コラム軸方向の中間部分に設けた保持部１２ｂと、図示省略したコラム軸方向の後方部分に設けた上下対の連結部（１２ａと同一構成のもの）を有している。各連結部１２ａは、左方に向けて延びていて、Ｕ字状に形成されており、左方カバー１１の係合突起１１ａ２に対して係合・離脱可能であり、上下方向にて所定量弾性変形可能である。
【００１３】
保持部１２ｂは、左方カバー１１の保持部１１ｂに対して左右対称形状であり、コラム軸方向にて所定長さに形成されていて、上方に向けて延びており、上端（先端）に係合爪１２ｂ１を有している。この保持部１２ｂは、左右方向にて弾性変形可能であり、図１に示した組付状態にて、係合爪１２ｂ１がステアリングコラム２０に設けた支持部２１の右方係合溝２１ｂに弾撥的に係合している。なお、右方係合溝２１ｂは、コラム軸方向に沿って形成されていて、支持部２１の前後両端にまで延びている。
【００１４】
上記した構成から明らかなように、この実施形態では、図１に示したように左方カバー１１と右方カバー１２がステアリングコラム２０の外周にて左右方向にて接合されることにより、左方の連結部１１ａ（前方部分の上下対２個と後方部分の上下対２個の合計４個）と右方の連結部１２ａ（前方部分の上下対２個と後方部分の上下対２個の合計４個）が互いに係合して一体的に連結されるとともに、右方の保持部１１ｂと左方の保持部１２ｂが所定の間隔にて対峙した状態でステアリングコラム２０の下部に一体的に設けた支持部２１の係合溝２１ａ、２１ｂに弾撥的に係合して支持部２１を挟持可能に構成されている。なお、図１に示した状態から右方カバー１２の連結部１２ａを上下方向にて拡げるようにして左方カバー１１の各係合突起１１ａ２との係合を解き、かかる状態にて、左方カバー１１と右方カバー１２を左右方向に分離すれば、ステアリングコラムカバー１０をステアリングコラム２０の外周から取り外すことが可能である。
【００１５】
上記した左方カバー１１と右方カバー１２の接合に際しては、各保持部１１ｂ、１２ｂの係合爪１１ｂ１、１２ｂ１が支持部２１の各係合溝２１ａ、２１ｂと一致するように配置するのが望ましい。なお、各保持部１１ｂ、１２ｂの係合爪１１ｂ１、１２ｂ１が支持部２１より下方にある状態で左方カバー１１と右方カバー１２を接合し、その後に左方カバー１１と右方カバー１２を上方に持ち上げて、各保持部１１ｂ、１２ｂの係合爪１１ｂ１、１２ｂ１を支持部２１の各係合溝２１ａ、２１ｂに係合させるようにして実施することも可能である。
【００１６】
以上の説明から明らかなように、この実施形態のステアリングコラムカバー１０においては、ステアリングコラムカバー１０がステアリングコラム２０に対して脱着される際に、左方カバー１１に設けた左方の保持部１１ｂと右方カバー１２に設けた右方の保持部１２ｂが損傷（変形）し難くて、ステアリングコラムカバー１０をステアリングコラム２０に再組付した場合においても、左方の保持部１１ｂおよび右方の保持部１２ｂとステアリングコラム２０間にガタが生じ難く、ステアリングコラムカバー１０はステアリングコラム２０に対して的確に組付けられる。
【００１７】
上記した実施形態においては、左方カバー１１に設けた連結部１１ａと保持部１１ｂの形状を図１および図２に示したように構成するとともに、右方カバー１２に設けた連結部１２ａと保持部１２ｂの形状を図１および図２に示したように構成して実施したが、これらの形状は適宜変更して実施することが可能であり、上記した実施形態の形状に限定されるものではない。
【００１８】
また、上記した実施形態においては、左方カバー１１の保持部１１ｂと右方カバー１２の保持部１２ｂおよびステアリングコラム２０の支持部２１が下方に設定されている実施形態（支持部２１がステアリングコラム２０の下部に一体的に設けられている実施形態）について説明したが、支持部（２１）がステアリングコラム２０の上部に一体的に設けられている実施形態においても本発明は上記実施形態と同様に実施することが可能である。
【符号の説明】
【００１９】
１０…ステアリングコラムカバー、１１…左方カバー、１１ａ…連結部、１１ａ１…位置決め爪、１１ａ２…係合突起、１１ｂ…保持部、１１ｂ１…係合爪、１２…右方カバー、１２ａ…連結部、１２ｂ…保持部、１２ｂ１…係合爪、２０…ステアリングコラム、２１…支持部、２１ａ…左方係合溝、２１ｂ…右方係合溝
【図１】
2010264815.tif 000003
【図２】
2010264815.tif 000004